(57)【要約】【課題】  幅が狭い凹部の開口部を除き上面が平坦な下枠４を有する構造で、この下枠４と各召し合わせ框８ａ、８ｂの下端面が対向し、この下枠４に沿って配設されたシール材２８、２８の不連続部のシールを図る。【解決手段】  上記下枠４の上面中央部に第一、第二両固定側気密保持ブラケット３４、３５を設ける。上記各召し合わせ框８ａ、８ｂの下端部に、移動側気密保持ブラケットを設ける。引戸障子を閉鎖位置に移動させた状態で、これら各気密保持ブラケット３４、３５のリップ部を重畳させて、上記シール材２８、２８の不連続部を塞ぐ。【選択図】  図９
2005232870.tif 000002
【特許請求の範囲】
【請求項１】
窓枠の内側に、複数の引戸障子を引き違い式に建て込んで成る引違戸の下辺部のシール装置であって、上記窓枠は、上枠と下枠と左右の竪枠とを矩形枠状に組み合わせて成るものであり、このうち、この窓枠の下辺を構成する上記下枠は、その上面に上記各引戸障子の移動方向に亙ってそれぞれ設けた複数の凹部の底面から上方に突出した状態で下部案内レールを設けると共に、これら各下部案内レールの上端縁が上記下枠の上面のうちで上記各凹部の両側に存在する部分よりも上方には突出しない様に、上記各下部案内レールの高さと上記各凹部の深さとを規制したものであり、上記各引戸障子は、それぞれが縦辺を構成する１対の竪框の下端部の互いに対向する内側面にその両端部を突き合わせた状態で下辺を構成する下框に、それぞれの外周面に凹溝を全周に亙って形成した複数の戸車を、横軸を中心とする回転自在に支持すると共に、これら各戸車の外周面に形成した上記凹溝を上記各下部案内レールに係合させて水平移動を案内されたものであり、上記各引戸障子と上記窓枠との間のシールのうち、上記下框と上記下枠との間のシールを、この下枠にその基部を支持されてそのリップ部の先端部を上記下框の下端部で上記各凹部内に入り込んだ垂下壁部の屋内側面に当接する複数の横方向シール材により図っており、上記各引戸障子の縦辺を構成する各竪框のうち、これら各引戸障子を閉鎖位置に移動させた状態で上記下枠の幅方向に関して互いに重畳する召し合わせ框の下方に位置して、一方の引戸障子の下框と上記下枠との間をシールする一方の横方向シール材と他方の引戸障子の下框とこの下枠との間をシールする他方の横方向シール材との不連続部分を、上記各召し合わせ框のうち、少なくとも屋内側の召し合わせ框の下端部に、当該召し合わせ框の下端面よりも下方に突出する状態で支持した移動側気密保持ブラケットの一部と、上記下枠の上面で上記各横方向シール材の不連続部に支持した固定側気密保持ブラケットの一部とを、当接若しくは近接対向させる事により図っている引違戸の下辺部のシール装置
【請求項２】
移動側気密保持ブラケットが、弾性材製で各引戸障子の移動方向に離隔して設けられた複数枚の薄肉の上側リップ部を垂下したものであり、固定側気密保持ブラケットが、弾性材製で各引戸障子の移動方向に離隔して設けられた複数枚の薄肉の下側リップ部を植立したものであり、これら各下側リップ部の上端部と上記各上側リップ部の下端部とを、各引戸障子の移動方向に関して互いに重畳させている、請求項１に記載した引違戸の下辺部のシール装置。
【請求項３】
各上側リップ部の下端縁を下枠の上面に当接若しくは近接対向させ、各下側リップ部の上端縁を各召し合わせ框の下端面に当接若しくは近接対向させている、請求項２に記載した引違戸の下辺部のシール装置。
【請求項４】
固定側気密保持ブラケットが、屋内側の下部案内レールの屋外側に支持された第一固定側気密保持ブラケットと、この屋内側の下部案内レールよりも更に屋内側に支持された第二固定側気密保持ブラケットとを組み合わせて成るものである、請求項１〜３の何れかに記載した引違戸の下辺部のシール装置。
【請求項５】
各引戸障子の縦辺を構成する両竪框の下端部と窓枠の端部との間に設けた複数のカバー帯をこれら各引戸障子の移動に伴って移動させる事により、各凹部の上端開口部でこれら各引戸障子により覆われていない部分を覆う様に構成しており、上記各カバー帯は、可撓性及び押し付け力により移動可能な程度の剛性を有する弾性材製であり、これら各カバー帯の一端が上記各竪框の下端部に結合されると共に、これら各カバー帯の中間部が、互いに直角に結合された下枠と竪枠との連続部に固定されたガイド部材の内部に設けられたガイド通路に案内されて、移動方向を水平方向から垂直方向に９０度変更されており、垂直方向に移動する上記各カバー帯の一部は、上記竪枠内に存在しており、上記各凹部を仕切る１対の内側面の上端部開口寄り部分に、それぞれが上記各カバー帯の両側端縁を係合させてこれら各カバー帯を案内するガイド溝が設けられている、請求項１〜４の何れかに記載した引違戸の下辺部のシール装置。
【発明の詳細な説明】
【技術分野】
【０００１】
この発明は、バリアフリーサッシと呼ばれる、下枠の上面を平坦にした窓枠に引戸障子を引き違い式に建て込んで成る引違戸のシール装置に関する。具体的には、閉鎖状態で、上記窓枠の下辺を構成する下枠と、上記各引戸障子と下辺との気密性及び水密性を確保する引違戸の下辺部のシール装置を実現するものである。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って上記下枠の上面には、この凹部の開口部が存在し、この開口部の中央部に上記下部案内レールの上端縁が存在する状態となる。
【０００５】
この様な構造は、従来から知られていなかった新規な構造である為、実現する為には、新たなシール構造が必要になる。即ち、上述の様な構造を実現した上で、窓枠の四辺と引戸障子の四辺との間の気密性及び水密性を確保する事が必要になる。これら各四辺のうち、上辺及び左右両縦辺は、一般的な引戸障子と同様のシール構造を採用できる。これに対して、下辺に関しては、下枠の形状に合わせた、新規なシール構造が必要になる。
【０００６】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【発明の開示】
【発明が解決しようとする課題】
【０００７】
本発明は、上述の様な事情に鑑みて、下枠として上面に下部案内レールを備えたものを使用すると共に、この下部案内レールの上端縁を、この下枠の上面のうちで人や物が移動する部分よりも下方に位置させた構造で、引戸障子の下辺と窓枠の下辺との間の気密性及び水密性を確保できる構造を実現すべく発明したものである。
【課題を解決するための手段】
【０００８】
本発明は、窓枠の内側に、複数の引戸障子を引き違い式に建て込んで成る引違戸の下辺部のシール装置に関する。
上記窓枠は、上枠と下枠と左右の竪枠とを矩形枠状に組み合わせて成るものである。このうち、この窓枠の下辺を構成する上記下枠は、その上面に上記各引戸障子の移動方向に亙ってそれぞれ設けた複数の凹部の底面から上方に突出した状態で下部案内レールを設けている。これと共に、これら各下部案内レールの上端縁が上記下枠の上面のうちで上記各凹部の両側に存在する部分よりも上方には突出しない様に、上記各下部案内レールの高さと上記各凹部の深さとを規制している。
又、上記各引戸障子は、それぞれが縦辺を構成する１対の竪框の下端部の互いに対向する内側面にその両端部を突き合わせた状態で下辺を構成する下框に、それぞれの外周面に凹溝を全周に亙って形成した複数の戸車を、横軸を中心とする回転自在に支持している。これと共に上記各引戸障子は、これら各戸車の外周面に形成した上記凹溝を上記各下部案内レールに係合させて水平移動を案内されている。
そして、上記各引戸障子と上記窓枠との間のシールのうち、上記下框と上記下枠との間のシールを、この下枠にその基部を支持されてそのリップ部の先端部を上記下框の下端部で上記各凹部内に入り込んだ垂下壁部の屋内側面に当接する複数の横方向シール材により図っている。
又、上記各引戸障子の縦辺を構成する各竪框のうち、これら各引戸障子を閉鎖位置に移動させた状態で上記下枠の幅方向に関して互いに重畳する召し合わせ框の下方に位置して、一方の引戸障子の下框と上記下枠との間をシールする一方の横方向シール材と他方の引戸障子の下框とこの下枠との間をシールする他方の横方向シール材との不連続部分を、上記各召し合わせ框のうち、少なくとも屋内側の召し合わせ框の下端部に、当該召し合わせ框の下端面よりも下方に突出する状態で支持した移動側気密保持ブラケットの一部と、上記下枠の上面で上記各横方向シール材の不連続部に支持した固定側気密保持ブラケットの一部とを、当接若しくは近接対向させる事により図っている。
【発明の効果】
【０００９】
上述の様に構成する本発明のシール装置を組み付ける引違戸の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
更に、上述の様な引戸装置に組み込む、本発明の引違戸の下辺部のシール装置の場合、各引戸障子の下辺と窓枠の下辺との間の気密性及び水密性を確保できる。
【発明を実施するための最良の形態】
【００１０】
本発明を実施する場合に好ましくは、請求項２に記載した様に、各移動側気密保持ブラケットを、弾性材製で各引戸障子の移動方向に離隔して設けられた複数枚の薄肉の上側リップ部を垂下したものとする。又、固定側気密保持ブラケットを、弾性材製で各引戸障子の移動方向に離隔して設けられた複数枚の薄肉の下側リップ部を植立したものとする。そして、これら各下側リップ部の上端部と上記各上側リップ部の下端部とを、各引戸障子の移動方向に関して互いに重畳させる。
この様に構成すれば、上記各引戸障子を閉鎖位置に移動させた状態での、各召し合わせ框の下面と下枠の上面との間の気密性及び水密性を良好にできる。
上述の様な請求項２に係る発明を実施する場合に好ましくは、請求項３に記載した様に、各上側リップ部の下端縁を下枠の上面に当接若しくは近接対向させ、各下側リップ部の上端縁を各召し合わせ框の下端面に当接若しくは近接対向させる。
この様に構成すれば、上記各引戸障子を閉鎖位置に移動させた状態での、各召し合わせ框の下面と下枠の上面との間の気密性及び水密性を、より良好にできる。
【００１１】
又、本発明を実施する場合に好ましくは、請求項４に記載した様に、固定側気密保持ブラケットを、屋内側の下部案内レールの屋外側に支持された第一固定側気密保持ブラケットと、この屋内側の下部案内レールよりも更に屋内側に支持された第二固定側気密保持ブラケットとを組み合わせて成るものとする。
この様に構成すれば、上記屋内側の下部案内レールを連続させたままの状態で（中間部で途切れさせる事なく）、上記固定側気密保持ブラケットを設置できる。従って、屋内側の引戸障子の移動の円滑化を確保できる。
【００１２】
又、本発明を実施する場合に好ましくは、請求項５に記載した様に、各引戸障子の縦辺を構成する両竪框の下端部と窓枠の端部との間に設けた複数のカバー帯をこれら各引戸障子の移動に伴って移動させる事により、各凹部の上端開口部でこれら各引戸障子により覆われていない部分を覆う様に構成する。上記各カバー帯は、可撓性及び押し付け力により移動可能な程度の剛性を有する弾性材製とし、これら各カバー帯の一端を上記各竪框の下端部に結合すると共に、これら各カバー帯の中間部を、互いに直角に結合された下枠と竪枠との連続部に固定されたガイド部材の内部に設けられたガイド通路に案内して、移動方向を水平方向から垂直方向に９０度変更する。そして、垂直方向に移動する上記各カバー帯の一部を上記竪枠内に存在させる。更に、上記各凹部を仕切る１対の内側面の上端部開口寄り部分に、それぞれが上記各カバー帯の両側端縁を係合させてこれら各カバー帯を案内するガイド溝を設ける。
この様に構成すれば、上記下枠上面の体裁を良好にし、且つ、凹部内への異物の落下を防止できる。又、上記カバー帯の浮き上りを防止して、このカバー帯に足等が引っ掛かる事を防止できる。
【実施例】
【００１３】
図１〜３４は、本発明の実施例を示している。本実施例は、本発明を、掃き出し窓として一般的な、引違戸に適用した場合に就いて示している。この為に本実施例の場合には、窓枠１の内側に、それぞれが特許請求の範囲に記載した引戸障子である１対のガラス障子２ａ、２ｂを、引き違い式に建て込んでいる。このうちの窓枠１は、上辺を構成する上枠３と、下辺を構成する下枠４と、左右の縦辺を構成する竪枠５ａ、５ｂとにより、矩形に構成している。これら各枠３、４、５ａ、５ｂは、それぞれアルミニウム合金の一体押し出し成形材製である。又、上記各ガラス障子２ａ、２ｂは、それぞれの上辺を構成する上框６ａ、６ｂと、同じく下辺を構成する下框７ａ、７ｂと、左右の縦辺を構成する竪框である、召し合わせ框８ａ、８ｂ及び突き合わせ框９ａ、９ｂとにより、ガラスパネル１０ａ、１０ｂの四辺を囲んで成る。これら各框６ａ、６ｂ、７ａ、７ｂ、８ａ、８ｂ、９ａ、９ｂも、アルミニウム合金の一体押し出し成形材製である。このうちの召し合わせ框８ａ、８ｂは、上記掃き出し窓の閉鎖時に上記窓枠１の中央に位置して、屋内外方向に亙り互いに対向する。これに対して上記各突き合わせ框９ａ、９ｂは、上記掃き出し窓の閉鎖時に上記窓枠１の端部に位置して、上記各竪枠５ａ、５ｂに突き合わされる。又、上記各召し合わせ框８ａ、８ｂ及び突き合わせ框９ａ、９ｂは、それぞれ上記両ガラス障子２ａ、２ｂの全高に亙って設けている。これに対して、上記上框６ａ、６ｂ及び下框７ａ、７ｂの長さは、上記両ガラス障子２ａ、２ｂの全幅よりも少し短くして、それぞれの両端面を、上記各召し合わせ框８ａ、８ｂ及び突き合わせ框９ａ、９ｂの上端部又は下端部の内側面に突き合わせている。
【００１４】
上記各ガラス障子２ａ、２ｂは上記窓枠１の内側に、一般的に知られている引違戸と同様の構造により、水平移動自在に建て込まれている。この為に、上記上枠３の下面に１対の上部案内レール１１ａ、１１ｂを、屋内外方向に離隔した状態で設けている。そして、上記各召し合わせ框８ａ、８ｂ及び突き合わせ框９ａ、９ｂの上端部に支持したガイドブロック１２ａ、１２ｂに形成したガイド溝１３ａ、１３ｂに上記各上部案内レール１１ａ、１１ｂを係合させている。この構成により、上記各ガラス障子２ａ、２ｂの上端部を上記上枠３に沿う水平移動自在に支持している。上記各上框６ａ、６ｂと上記各上部案内レール１１ａ、１１ｂの両側面との間には、それぞれシール材１４、１４を設けて、上記各上框６ａ、６ｂと上記各上部案内レール１１ａ、１１ｂとの間のシール性確保を図っている。又、上記各ガラス障子２ａ、２ｂを閉鎖位置に移動させた状態で、上記各突き合わせ框９ａ、９ｂ或は上記各召し合わせ框８ａ、８ｂの上端面と対向する、上記上枠３の両端部及び中央部の下面に、当該部分の隙間を塞ぐ為の塞ぎブラケット（図示せず）を設けている。尚、本発明を実施する場合、引戸装置の上辺部分の構造に関しては、従来から広く知られている一般的な引戸装置と同様に構成できる。従って、上記各ガラス障子２ａ、２ｂの上辺部分と上記上枠３との間のシール構造に就いても、上記一般的な引戸装置と同様に構成できる為、詳しい図示並びに説明は省略する。
【００１５】
これに対して、前記下枠４に１対の下部案内レール１５ａ、１５ｂを、屋内外方向に離隔した状態で設けている。但し、本実施例の場合、一般的な引違戸を構成する下枠とは異なり、上記各下部案内レール１５ａ、１５ｂを、上記下枠４の上面にこの下枠４の全長に亙って設けた１対の凹部１６ａ、１６ｂの底面から、上方に突出した状態で設けている。又、上記各下部案内レール１５ａ、１５ｂの高さ寸法は上記各凹部１６ａ、１６ｂの深さ寸法よりも小さくして、これら各下部案内レール１５ａ、１５ｂの上端縁が、上記下枠４の上面のうちで上記各凹部１６ａ、１６ｂの両側に存在する部分よりも下方に位置する様にしている。この構成により、上記各下部案内レール１５ａ、１５ｂの存在に拘らず、上記下枠４の上面を幅の狭い上記各凹部１６ａ、１６ｂの上端開口部を除き、実質的に平坦にして、高齢者や障害者、更には車椅子等の移動を容易に行なえる様にしている。
【００１６】
この様な構成を有する上記下枠４に沿う移動を可能にする為に、上記各ガラス障子２ａ、２ｂの下辺を構成する前記下框７ａ、７ｂの両端部近傍部分に戸車１７ａ、１７ｂを、屋内外方向に設けられた横軸を中心とする回転自在に支持している。これら各戸車１７ａ、１７ｂは、従来から一般的な引違戸に使用されていた戸車と同様のもので、外周面中央部に凹溝１８ａ、１８ｂを、全周に亙り形成している。この様な凹溝１８ａ、１８ｂを設けた上記各戸車１７ａ、１７ｂをそれぞれ１対ずつ支持した上記各下框７ａ、７ｂは、上記下部案内レール１５ａ、１５ｂと上記各凹溝１８ａ、１８ｂとを係合させる事で、上記下枠４の上方位置に、この下枠４に沿った水平移動を自在に支持している。
以上の構成により、上記各ガラス障子２ａ、２ｂを上記窓枠１の内側に、水平移動自在に建て込んでいる。
【００１７】
又、図示の例では、上記下枠４の屋外側端部（図５、６の左端部）上面に形成した屋外端突条１９と、上記１対の凹部１６ａ、１６ｂ同士を仕切る中央突条２０との屋内側面（図５、６の右側面）に、それぞれブラケット２１ａ、２１ｂを係止している。上記各下部案内レール１５ａ、１５ｂのうち、屋外側の下部案内レール１５ａの上半部は、屋外側のブラケット２１ａと上記中央突条２０との間に存在する。そして、上記屋外側の戸車１７ａの一部は、これらブラケット２１ａと中央突条２０との上半部同士の間に入り込んでいる。これに対して、屋内側の下部案内レール１５ｂの上半部は、屋内側のブラケット２１ｂと、上記下枠４の屋内側端部（図５、６の右端部）上面に形成した屋内端突条２２との間に存在する。そして、上記屋内側の戸車１７ｂの一部は、これら屋内側のブラケット２１ｂと屋内端突条２２との上半部同士の間に入り込んでいる。
【００１８】
又、前記各下框７ａ、７ｂの屋内側壁２３ａ、２３ｂの下端部を下方に延長する事で、それぞれ垂下壁部２４ａ、２４ｂを形成している。そして、前記屋外側のガラス障子２ａに関する垂下壁部２４ａの上下方向中間部乃至下端部を、上記屋外側の下部案内レール１５ａの上半部屋内側面と、上記中央突条２０の上半部屋外側面との間に進入させている。これに対して、前記屋内側のガラス障子２ｂに関する垂下壁部２４ｂの上下方向中間部乃至下端部を、上記屋内側の下部案内レール１５ｂの上半部屋内側面と、上記屋内端突条２２の上半部屋外側面との間に進入させている。
【００１９】
上述の様に、前記各戸車１７ａ、１７ｂの下端部と上記各垂下壁部２４ａ、２４ｂの上下方向中間部乃至下端部とを進入させた、上記各凹部１６ａ、１６ｂの上端開口部で上記各ガラス障子２ａ、２ｂの下框７ａ、７ｂにより覆われない部分は、次述するカバー帯２５ａ〜２５ｄにより覆う様にしている。上記各凹部１６ａ、１６ｂの内側面上端部には、これら各カバー帯２５ａ〜２５ｄの両側端縁を案内する為のガイド溝２６ａ、２６ｂを、互いに対向する状態で設けている。
【００２０】
上記各ガイド溝２６ａ、２６ｂは、それぞれ高分子材料を押し出し成形して成るガイド部材２７ａ、２７ｂにより構成している。このうち、上記各凹部１６ａ、１６ｂ毎に屋内側となる、上記中央突条２０の上端部屋外側面と上記屋内端突条２２の上端部屋外側面とに係止したガイド部材２７ａ、２７ａは、上端部屋外側面に設けられた上記ガイド溝２６ａと、中間部屋外側面にその基端部を連結したシールリップ２８とを備える。このうちのガイド溝２６ａは、上記各カバー帯２５ａ〜２５ｄの屋内側端縁を案内して、これら各カバー帯２５ａ〜２５ｄの屋内側端縁が、上記各凹部１６ａ、１６ｂの上端開口部から浮き上がる事を防止する。又、上記シールリップ２８の屋外側面の先端寄り部分は、上記各垂下壁部２４ａ、２４ｂの屋内側面に摺接して、上記各下框７ａ、７ｂと前記下枠４との間をシールする。これに対して、上記各凹部１６ａ、１６ｂ毎に屋外側となる、前記各ブラケット２１ａ、２１ｂの上端部屋内側面に係止したガイド部材２７ｂ、２７ｂは、上記ガイド溝２６ｂ、２６ｂのみを設け、シールリップは設けていない。
【００２１】
前述の様な各ガイド部材２７ａ、２７ｂは、上記各凹部１６ａ、１６ｂの内側面上端部に、これら各ガイド部材２７ａ、２７ｂのガイド溝２６ａ、２６ｂを同じ高さに位置させて互いに対向させた状態で設けている。そして、これら各ガイド溝２６ａ、２６ｂに、上記各カバー帯２５ａ〜２５ｄの両側端縁を係合させると共に、これら各カバー帯２５ａ〜２５ｄの一端部を前記各ガラス障子２ａ、２ｂの縦辺を構成する召し合わせ框８ａ、８ｂ又は突き合わせ框９ａ、９ｂの下端部に結合している。又、上記各カバー帯２５ａ〜２５ｄの中間部乃至他端部は、前記窓枠１の縦辺を構成する竪枠５ａ、５ｂ内に出入りさせる様にしている。この構成により、この窓枠１の下辺を構成する下枠４の上面に存在する上記各凹部１６ａ、１６ｂの上端開口部で、上記各ガラス障子２ａ、２ｂの下框７ａ、７ｂにより覆われていない部分を、上記各カバー帯２５ａ〜２５ｄにより覆う様にしている。
【００２２】
本実施例の場合、次の(1) 〜(4) に示すカバー帯２５ａ〜２５ｄにより、前記各下部案内レール１５ａ、１５ｂを設置した凹部１６ａ、１６ｂの上端開口の４個所位置を、それぞれ覆う（図２参照）。
(1) 屋外側のガラス障子２ａの突き合わせ框９ａと一方（図２の左方）の竪枠５ａの下端部との間に設け、このガラス障子２ａを解放方向（図２の右方向）に移動させた場合に、屋外側の凹部１６ａの片半部（図２の左半部）の上端開口を覆うカバー帯２５ａ。
(2) 屋外側のガラス障子２ａの召し合わせ框８ａと他方（図２の右方）の竪枠５ｂの下端部との間に設け、このガラス障子２ａを閉鎖方向（図２の左方向）に移動させた場合に、屋外側の凹部１６ａの他半部（図２の右半部）の上端開口を覆うカバー帯２５ｂ。
(3) 屋内側のガラス障子２ｂの突き合わせ框９ｂと他方の竪枠５ｂの下端部との間に設け、このガラス障子２ｂを解放方向（図２の左方向）に移動させた場合に、屋内側の凹部１６ｂの片半部（図２の右半部）の上端開口を覆うカバー帯２５ｃ。
(4) 屋内側のガラス障子２ｂの召し合わせ框８ｂと一方の竪枠５ａの下端部との間に設け、このガラス障子２ｂを閉鎖方向（図２の右方向）に移動させた場合に、屋内側の凹部１６ｂの他半部（図２の左半部）の上端開口を覆うカバー帯２５ｄ。
【００２３】
この様なカバー帯２５ａ〜２５ｄは、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記各カバー帯２５ａ〜２５ｄとして、自由状態での断面形状が円弧形となるものを使用して、これら各カバー帯２５ａ〜２５ｄの肉厚を小さく抑えつつ、上記剛性の確保を図っている。尚、これら各カバー帯２５ａ〜２５ｄの湾曲方向は、上記各凹部１６ａ、１６ｂの上端開口を覆った状態で、それぞれの上面が凸曲面となる方向としている。この理由は、上記各カバー帯２５ａ〜２５ｄと前記各下部案内レール１５ａ、１５ｂの上端縁との干渉を防止しつつ、これら各下部案内レール１５ａ、１５ｂの高さ寸法を確保する為である。
【００２４】
この様な上記各カバー帯２５ａ〜２５ｄの一端部は、それぞれ上記各ガラス障子２ａ、２ｂの召し合わせ框８ａ、８ｂ又は突き合わせ框９ａ、９ｂの下端部に結合し、これら各ガラス障子２ａ、２ｂの移動に伴って押し引きされる様にしている。上記各カバー帯２５ａ〜２５ｄの一端部を上記各框８ａ、８ｂ、９ａ、９ｂの下端部に結合する為の構造は特に問わない。それぞれの両端縁を前記各ガイド溝２６ａ、２６ｂに係合させた上記各カバー帯２５ａ〜２５ｄの一端部を上記各框８ａ、８ｂ、９ａ、９ｂの下端部に結合し、上記各ガラス障子２ａ、２ｂの移動に伴って上記各カバー帯２５ａ〜２５ｄの一端部が押し引きされる構造であれば良い。
【００２５】
図７は、この様に上記各カバー帯２５ａ〜２５ｄの一端部を上記各框８ａ、８ｂ、９ａ、９ｂの下端部に結合する部分の構造の１例を示している。この構造では、上記各カバー帯２５ａ〜２５ｄの一端部に係止孔２９を形成すると共に、上記各框８ａ、８ｂ、９ａ、９ｂの下端部外側面に係止ブラケット３０を固定している。そして、この係止ブラケット３０に垂下した係止ピン３１を上記係止孔２９に挿入する事により、上記各框８ａ、８ｂ、９ａ、９ｂの動きを上記各カバー帯２５ａ〜２５ｄの一端部に伝達自在としている。尚、上記各框８ａ、８ｂ、９ａ、９ｂに対する上記係止ブラケット３０の上下取付位置は、若干の調節自在として、上記各ガラス障子２ａ、２ｂの高さ調節に拘らず、上記係止ピン３１と上記係止孔２９とが確実に係合する様にする。尚、図７に示した結合構造は、後述する図３２〜３４に示した結合構造とは異なる。
【００２６】
本実施例の場合、上述の様に、引戸装置の下辺部分の構造が従来から一般的に知られている構造と相違している。又、引戸装置の下隅角部には、上記各カバー帯２５ａ〜２５ｄを、下枠４と竪枠５ａ、５ｂとの間で受け渡す為の構造を設ける必要がある。この為、本実施例の場合には、前記各ガイド部材２７ａ、２７ａに設けた前記シールリップ２８、２８を含め、次の様な構造により、上記各ガラス障子２ａ、２ｂを閉鎖位置に移動させた状態での、引戸装置の縦辺下端部乃至下辺部とのシール性を確保する様にしている。
【００２７】
先ず、上記各ガラス障子２ａ、２ｂの突き合わせ框９ａ、９ｂと、上記各竪枠５ａ、５ｂとの間（引戸障子の縦辺）のシール性を確保する為に、図２〜４に示す様に、これら各竪枠５ａ、５ｂの内側面の中央部若しくは屋内端部に設けた係止突条３２ａ、３２ｂの屋外側面に、シール材３３ａ、３３ｂの基端部を係止している。そしてこれら各シール材３３ａ、３３ｂのシールリップの先端部を、上記各突き合わせ框９ａ、９ｂの屋内側面に当接させている。上記各シール材３３ａ、３３ｂの上端部は、図８に示す様に、前記各上框６ａ、６ｂ毎に設けたシール材１４、１４のうち、これら各上框６ａ、６ｂ毎に屋内側となるシール材１４、１４の端部に当接若しくは近接対向している。従って、引戸障子の上隅角部に、気密性及び水密性を確保する上から問題となる程に大きな隙間が形成される事はない。尚、図８を含め、シール性を確保する為の部材に就いては、一部の断面を除き、各図に梨地模様で示した。
【００２８】
又、上記各ガラス障子２ａ、２ｂの下框７ａ、７ｂと上記下枠４との間（引戸装置の下辺）のシール性は、図９に梨地模様で示す様に、上記各ガイド部材２７ａ、２７ａに設けた上記シールリップ２８、２８により図っている。これら各ガイド部材２７ａ、２７ａに設けた上記シールリップ２８、２８は、上記各ガラス障子２ａ、２ｂの召し合わせ框８ａ、８ｂで不連続となっている。この為、この不連続部分のシール性を、図９〜１９に示す様な、第一、第二両固定側気密保持ブラケット３４、３５と移動側気密保持ブラケット３６とにより保持する様にしている。このうちの第一固定側気密保持ブラケット３４をその上面に固定する為に、上記下枠４の上面中央部で上記各召し合わせ框８ａ、８ｂの下端面が対向する部分に存在する中央突条２０及びこの中央突条２０に係止したブラケット２１ｂの一部を切り欠いている。又、上記第二固定側気密保持ブラケット３５をその上面に固定する為に、上記下枠４の上面中央部で屋内側の召し合わせ框８ｂの下端面が対向する部分に存在する屋内端突条２２のうち、前記ガイド部材２７ａを係止する為の係止溝を形成した屋外側面部分を切り欠いている。
【００２９】
上記第一、第二両固定側気密保持ブラケット３４、３５は、図９〜１０に示す様に、屋外側のガラス障子２ａの下辺を構成する下框７ａ（図５、６参照）と下枠４との間をシールするシールリップ２８と、屋内側のガラス障子２ｂの下辺を構成する下框７ｂ（図５、６参照）と下枠４の間をシールするシールリップ２８との間に掛け渡される状態で設けられる。このうち、屋外側に設けられる第一固定側気密保持ブラケット３４は、図１１〜１３に示す様に、上記下枠４の上面にねじ止め固定される基部３７と、この基部３７の上方及び側方に延出した、それぞれが弾性材により造られた複数のリップ部３８、３８とを備える。又、屋内側に設けられる第二固定側気密保持ブラケット３５は、図１４〜１６に示す様に、上記下枠４の上面にねじ止め固定される基部３９と、この基部３９の上方及び側方に延出した、それぞれが弾性材により造られた複数のリップ部４０、４０とを備える。この様な第一、第二両固定側気密保持ブラケット３４、３５のリップ部３８、４０の先端縁は、上記下枠４の表面に接触する他、上記各ガラス障子２ａ、２ｂを閉鎖位置に移動させた状態で、前記各召し合わせ框８ａ、８ｂの下端部表面に弾性的に当接若しくは近接対向する。
【００３０】
一方、前記各移動側気密保持ブラケット３６は、上記第一、第二両固定側気密保持ブラケット３４、３５によるシール性を補完する為に、上記各召し合わせ框８ａ、８ｂのうち、少なくとも屋内側の召し合わせ框８ｂの下端部に装着した状態で使用される。図１７〜１９は、この移動側気密保持ブラケット３６を示している。この移動側気密保持ブラケット３６は、上記召し合わせ框８ｂの下端部に内嵌支持する為にその上面に１対の弾性片４１、４１を設けた基部４２と、この基部４２の下面にそれぞれの上端縁を連続させた、それぞれが弾性材により造られた複数のリップ部４３、４３とを備える。上記基部４２の中間部には、前記戸車１７ｂ（図５、６参照）の高さ位置を調節する為の工具（ドライバ）を挿通する為の通孔４４を設け、この通孔４４を弾性膜４５により塞いでいる。上記工具は、この弾性膜４５に形成したスリット４６を押し広げる事で、上記通孔４４を挿通する。この様な移動側気密保持ブラケット３６を上記召し合わせ框８ｂの下端部に内嵌支持した状態で、上記各リップ部４３、４３の下端縁は、上記下枠４の表面に当接若しくは近接対向する。屋外側のガラス障子２ａの召し合わせ框８ａの下端部にも移動側気密保持ブラケットを装着する場合には、この移動側気密保持ブラケットに関しても、リップ部の形状等は、この召し合わせ框８ａの下端部が対向する下枠４の表面部分の形状に合わせて変えているが、基本的には、上記移動側気密保持ブラケット３６と同様に構成する。
【００３１】
上述の様な両移動側気密保持ブラケット３６は、上記各ガラス障子２ａ、２ｂを閉鎖位置に移動させた状態で、これら各ガラス障子２ａ、２ｂの移動方向に関して、前記第一、第二両固定側気密保持ブラケット３４、３５と隣接する位置に移動する。そして、これら各気密保持ブラケット３４、３５、３６のリップ部３８、４０、４３が、上記各召し合わせ框８ａ、８ｂの下端面と上記下枠４の中央部上面との間部分にラビリンスシールを構成して、この間部分の気密性及び水密性を確保する。尚、上記下枠４の中央部で、このラビリンスシールよりも屋外側に位置する部分に水抜き孔４７（図９参照）を設けて、上記下枠４の上面をこのラビリンスシール部分に向けて流れた雨水を、この下枠４の下方に排出する様にしている。
【００３２】
引戸装置の下辺部分のシール性は、上述の様な構造により保持している。但し、この構造を構成する、前記各ガイド部材２７ａ、２７ａのシールリップ２８、２８の水平方向端部と、前記縦辺部分のシール性を確保する為に、前述の様に前記各竪枠５ａ、５ｂの内側面の係止突条３２ａ、３２ｂの屋外側面に係止した前記シール材３３ａ、３３ｂの下端部とは、図２０に示す様に、不連続となる。この理由は、前記窓枠１の下隅角部、即ち、上記下枠４の端部と前記各竪枠５ａ、５ｂの下端部との連続部には、これら両枠４、５ａ、５ｂ同士の間で前記各カバー帯２５ａ〜２５ｄの受け渡しを行なわせる為の構造が存在する為である。従って、引戸装置全体としての気密性及び水密性を確保する為には、上記下隅角部に存在する、上記各シールリップ２８、２８の水平方向端部と上記シール材３３ａ、３３ｂの下端部との不連続部を塞ぐ構造が必要になる。
【００３３】
この為に本実施例の場合には、上記下枠４の端部と前記各竪枠５ａ、５ｂの下端部との連続部に、図２１〜２４に示す様な枠下部側気密片４８を、図２５〜２６に示す様に固定している。又、前記各突き合わせ框９ａ、９ｂの下端部に、図２７〜３１に示す様な框側気密片４９を、図３２〜３４に示す様に固定している。そして、この框側気密片４９と上記枠下部側気密片４８とにより、上記各ガイド部材２７ａ、２７ａのシールリップ２８、２８の水平方向端部と上記シール材３３ａ、３３ｂの下端部との不連続の気密保持を図っている。尚、図２１〜３４に示した構造は、屋内側のガラス障子２ｂの突き合わせ框９ｂと竪枠５ｂとに関する下隅角部のシール構造に就いて示している。屋外側のガラス障子２ａの突き合わせ框９ａと竪枠５ａとに関する下隅角部のシール構造に就いても、左右の勝手が逆になる以外、同様に構成する。就いては、以下の説明は、屋内側のガラス障子２ｂの突き合わせ框９ｂと竪枠５ｂとに関する下隅角部のシール構造に就いて行なう。
【００３４】
上記枠下部側気密片４８は、その屋外側面に、前記カバー帯２５ｃの中間部で移動方向を９０度変える部分を案内する為の湾曲ガイド溝５０を形成している。この様な枠下部側気密片４８は、この湾曲ガイド溝５０の上端開口部を、後述する収納部５１ｃの下端開口部に、同じく下端（水平端）開口部を前記ガイド溝２６ａの端部開口に、それぞれ連続させる状態で、上記竪枠５ａと前記下枠４との突き合わせ部内側に固定している。従って、上記カバー帯２５ｃは、上記湾曲ガイド溝５０を介して、上記収納部５１ｃと上記ガイド溝２６ａとの間で移動する（受け渡される）。上記枠下部側気密片４８を上記突き合わせ部内側に固定した状態で、上記シール材３３ｂの下端面は、この枠下部側気密片４８の上端面に当接若しくは近接対向する。又、上記ガイド部材２７ａのシールリップ２８の水平方向端面は、上記枠下部側気密片４８の内側面で上記湾曲ガイド溝５０の下端（水平端）開口部の直下位置に当接若しくは近接対向する。
【００３５】
尚、上記湾曲ガイド溝５０は、上記カバー帯２５ｃの屋内側端縁部のみを案内する。一般的には、この程度の案内でも、上記収納部５１ｃとガイド溝２６ａとの間で移動を十分に行なわせる事ができる。但し、これら収納部５１ｃとガイド溝２６ａとの間で移動をより円滑に行なわせる為に、上記竪枠５ｂの内側面下端寄り部分に、上記カバー帯２５ｃの幅方向中央部乃至は屋外側端縁部を案内する為のガイド片を固定する事は自由である。又、前記各召し合わせ框８ａ、８ｂの下端部にそれぞれの一端部を固定した、前記各カバー帯２５ｂ、２５ｄを、下枠４と竪枠５ａ、５ｂとの間で移動させる為に、これら下枠４の両端部と竪枠５ａ、５ｂの下端部との間に、上記各カバー帯２５ｂ、２５ｄの移動方向を９０度変更する為の、湾曲ガイド部を有するガイドブラケット（図示省略）を設ける。尚、上記各召し合わせ框８ａ、８ｂに関する上記各カバー帯２５ｂ、２５ｄを案内する、上記各ガイドブラケットには、シール性保持の為の構造は不要である。何れにしても、湾曲ガイド溝５０及び湾曲ガイド部の両端開口部は、上記ガイド溝２６ａ（２６ｂ）の水平方向端部開口と後述する収納部５１ａ〜５１ｄの下端開口とに連続させる。
【００３６】
又、前記框側気密片４９は、前記突き合わせ框９ｂの下端部に内嵌自在なケース部５２を備え、このケース部５２の屋内側から下方に補助垂下壁部５３を延出している。このケース部５２を上記突き合わせ框９ｂの下端部に内嵌し、ねじ５４によりこの突き合わせ框９ｂに対し固定した状態で、上記補助垂下壁部５３は、前記垂下壁部２４ｂと連続する。即ち、前述した様に、この垂下壁部２４ｂが前記ガラス障子２ｂの端部で上記突き合わせ框９ｂの下側部分に存在しない分、上記補助垂下壁部５３をこの突き合わせ框９ｂの下側部分に設けている。この補助垂下壁部５３及び上記垂下壁部２４ｂの屋内側面には、前記ガイド部材２７ａのシールリップ２８の先端部が弾性的に当接する。又、上記ガラス障子２ｂを閉鎖位置に移動させた状態で、上記補助垂下壁部５３の一部で上記ケース部５２から水平方向に突出した先端部５５は、前記枠下部側気密片４８の屋外側面に設けた段差部５６に微小隙間を介して近接対向する。本実施例の場合、この様な構造により、前記下隅角部に存在する、上記各シールリップ２８、２８の水平方向端部と前記シール材３３ａ、３３ｂの下端部との不連続部を塞いでいる。
【００３７】
尚、図示の例では、上記框側気密片４９に、前記カバー帯２５ｃの一端部を上記突き合わせ框９ｂの下端部に結合する為の結合ブラケット（図示省略）を納める為の、上記ケース部５２を設けている。上記カバー帯２５ｃの一端部に結合した上記結合ブラケットは、このケース部５２内に収納した状態で、上記框側気密片４９を介して、上記突き合わせ框９ｂの下端部に結合される。この様に構成する事で、上記カバー帯２５ｃの一端部と上記突き合わせ框９ｂの下端部との結合構造の存在に拘らず、この突き合わせ框９ｂを前記竪枠５ｂに、十分に近接させられる様にしている。尚、上記カバー帯２５ｃの一端部を上記ケース部５２に結合する結合ブラケットの構造に就いては、各種構造を採用できる。例えば、上記カバー帯２５ｃの一端部を合成樹脂等の弾性材製の結合ブラケットにより抑え付け、この結合ブラケットの鉤部を、上記ケース部５２に形成した開口切り欠き５９の両側縁に係合させる構造が考えられる。但し、この部分の構造は、本発明の要旨とは関係しない為、図示並びに説明は省略する。
【００３８】
又、本実施例の場合、上記各カバー帯２５ａ〜２５ｄの一部を収納する為の各収納部５１ａ〜５１ｄを設ける為に、前記各竪枠５ａ、５ｂはそれぞれ、竪枠本体５７ａ、５７ｂの内側面に、内側ブラケット５８ａ、５８ｂを突き合わせ結合して成る。そして、これら各竪枠本体５７ａ、５７ｂの内側面とこれら各内側ブラケット５８ａ、５８ｂの外側面との間の隙間の一部を、上記各収納部５１ａ〜５１ｄとしている。尚、上記各内側ブラケット５８ａ、５８ｂは、上記各竪枠本体５７ａ、５７ｂの下端部には設けず、この下端部には、前記枠下部側気密片４８或は前記ガイドブラケットの一部を突き当てている。そして、上記各収納部５１ａ〜５１ｄの下端開口部と、前記湾曲ガイド溝５０或は前記湾曲ガイド部の上端開口部とを互いに突き合わせ、上記各収納部５１ａ〜５１ｄとこれら湾曲ガイド溝５０或は湾曲ガイド部とを連続させている。この構成により、これら各収納部５１ａ〜５１ｄと湾曲ガイド溝５０或は湾曲ガイド部との間で、上記各カバー帯２５ａ〜２５ｄを受け渡し自在としている。
【００３９】
上述の様に構成する本実施例の場合、前記各ガラス障子２ａ、２ｂを移動させれば、当該ガラス障子２ａ、２ｂの召し合わせ框８ａ、８ｂ及び突き合わせ框９ａ、９ｂと前記各竪枠５ａ、５ｂとの間で上記各カバー帯２５ａ〜２５ｄの受け渡しが行なわれる。そして、前記各凹部１６ａ、１６ｂの一部で、上記各ガラス障子２ａ、２ｂの下框７ａ、７ｂにより覆われない部分を、上記各カバー帯２５ａ〜２５ｄにより覆う。即ち、上記各ガラス障子２ａ、２ｂの移動に伴って、上記各框８ａ、８ｂ、９ａ、９ｂが、対向する竪枠５ａ、５ｂから離れると、当該竪框８ａ、８ｂ、９ａ、９ｂの下端部に結合された上記各カバー帯２５ａ〜２５ｄが、当該竪枠５ａ、５ｂの収納部５１ａ〜５１ｄから、前記枠下部側気密片４８に設けた湾曲ガイド溝５０部分或はガイドブラケットに設けた湾曲ガイド部分で方向を９０度変更されつつ、引き出される。そして、これら各カバー帯２５ａ〜２５ｄが、上記各竪框８ａ、８ｂ、９ａ、９ｂの下端部と上記各竪枠５ａ、５ｂの下端部との間に掛け渡された状態で、上記各凹部１６ａ、１６ｂの上端開口で、上記各竪框８ａ、８ｂ、９ａ、９ｂの下端部と上記各竪枠５ａ、５ｂの下端部との間に露出した部分を覆う。この状態では、この下枠４の上面のうちで上記各竪框８ａ、８ｂ、９ａ、９ｂの下端部と上記各竪枠５ａ、５ｂの下端部との間部分の体裁を良好にし、且つ、この間部分で、上記各凹部１６ａ、１６ｂ内に異物が落下する事を防止できる。
【００４０】
又、本実施例の場合には、上記各収納部５１ａ〜５１ｄから引き出されて上記各凹部１６ａ、１６ｂの一部を覆った、上記各カバー帯２５ａ〜２５ｄの両側端縁が、上記各ガイド溝２６ａ、２６ｂに係止された状態となる。この為、これら各カバー帯２５ａ〜２５ｄの両側端縁が上記各凹部１６ａ、１６ｂの開口縁部から浮き上がる事を確実に防止できる。この結果、これら各凹部１６ａ、１６ｂ内に細かい異物が入り込んだり、上記各カバー帯２５ａ〜２５ｄに何らかの物が引っ掛かる事を有効に防止できる。
【００４１】
一方、上記各ガラス障子２ａ、２ｂの移動に伴って、上記各框８ａ、８ｂ、９ａ、９ｂが対向する竪枠５ａ、５ｂに近づくと、当該竪框８ａ、８ｂ、９ａ、９ｂの下端部に結合された上記各カバー帯２５ａ〜２５ｄが、当該竪枠５ａ、５ｂの収納部５１ａ〜５１ｄ内に、上記枠下部側気密片４８に設けた湾曲ガイド溝５０部分或はガイドブラケットに設けた湾曲ガイド部分で方向を９０度変更されつつ、押し込まれる。上記各カバー帯２５ａ〜２５ｄは、金属製の巻き尺の如き性状で、押し付け方向に対し或る程度の剛性を有するので、上記各ガラス障子２ａ、２ｂの移動に伴って、上記各収納部５１ａ〜５１ｄ内に確実に押し込まれる。
【００４２】
前記下枠４の両端部と上記各竪枠５ａ、５ｂの下端部との間で、上記各ガラス障子２ａ、２ｂを閉鎖位置に移動させた状態でこれら各ガラス障子２ａ、２ｂの突き合わせ框９ａ、９ｂの下端部が対向する部分には、カバー帯２５ａ、２５ｃを上記下枠４と上記各竪枠５ａ、５ｂとの間で移動させる構造が存在する。この為、前述の図２０に示す様に、シールリップ２８、２８の水平方向端部とシール材３３ａ、３３ｂの下端部とが不連続になるが、この不連続部のシールを、前記枠下部側気密片４８と、前記補助垂下壁部５３と、前記ガイド部材２７ａの端部で上記突き合わせ框９ａ、９ｂの下端部外側面に対向する部分のシールリップ２８の先端部とで図れる。この為、上記各ガラス障子２ａ、２ｂと前記窓枠１との下隅角部同士の間の気密性及び水密性を確保できる。
【産業上の利用可能性】
【００４３】
図示の実施例は、本発明を引違戸に適用した場合に就いて説明した。これに対して本発明は、図示の様な引違戸に限らず、障子を水平方向に移動して開口部の開閉を行なう引戸装置であれば実施できる。例えば、引戸障子を１枚のみ設けた引戸でも、本発明を実施する事ができる。
【図面の簡単な説明】
【００４４】
【図１】本発明の実施例１を示す、引戸障子を屋内側から見た略正面図。
【図２】図１の拡大Ａ−Ａ断面図。
【図３】図２のＢ部拡大図。
【図４】同Ｃ部拡大図。
【図５】図１の拡大Ｄ−Ｄ断面図。
【図６】図５のＥ部拡大図。
【図７】竪框の下端部とカバー帯の端部との結合部の１例を示す略斜視図。
【図８】引戸装置の上隅角部のシール材の連続状態を説明する為の、図５の上端部に相当する図。
【図９】引戸装置の下辺部及び下隅角部のシール材の連続状態を説明する為の、図２と同様の図。
【図１０】図９のＦ部拡大図。
【図１１】第一固定側気密保持ブラケットを、下枠への取付位置を表した状態で示す平面図。
【図１２】図１１の左方から見た図。
【図１３】同じく下方から見た図。
【図１４】第二固定側気密保持ブラケットを、下枠への取付位置を表した状態で示す平面図。
【図１５】図１４の左方から見た図。
【図１６】同じく下方から見た図。
【図１７】移動側気密保持ブラケットを、召し合わせ框への取付位置を表した状態で示す平面図。
【図１８】図１７の左方から見た図。
【図１９】同じく下方から見た図。
【図２０】引戸装置の下隅角部のシール材の不連続状態を説明する為の、図５の下端部に相当する図。
【図２１】枠下部側気密片を屋外側から見た状態で示す斜視図。
【図２２】同じく屋内側から見た状態で示す斜視図。
【図２３】同じく屋外側から見た状態で示す正面図。
【図２４】同じく屋内側から見た状態で示す背面図。
【図２５】同じく下枠への組み付け状態で示す平面図。
【図２６】同じく図２５の左方から見た図。
【図２７】框側気密片を屋内側から見た状態で示す正面図。
【図２８】同じく平面図。
【図２９】同じく底面図。
【図３０】図２７の左方から見た図。
【図３１】同じく右方から見た図。
【図３２】同じく框への組み付け状態で屋内側から見た正面図。
【図３３】同じく平面図。
【図３４】同じく図３２の右方から見た図。
【符号の説明】
【００４５】
１    窓枠
２ａ、２ｂ  ガラス障子
３    上枠
４    下枠
５ａ、５ｂ  竪枠
６ａ、６ｂ  上框
７ａ、７ｂ  下框
８ａ、８ｂ  召し合わせ框
９ａ、９ｂ  突き合わせ框
１０ａ、１０ｂ  ガラスパネル
１１ａ、１１ｂ  上部案内レール
１２ａ、１２ｂ  ガイドブロック
１３ａ、１３ｂ  ガイド溝
１４    シール材
１５ａ、１５ｂ  下部案内レール
１６ａ、１６ｂ  凹部
１７ａ、１７ｂ  戸車
１８ａ、１７８ｂ  凹溝
１９    屋外端突条
２０    中央突条
２１ａ、２１ｂ  ブラケット
２２    屋内突条
２３ａ、２３ｂ  屋内側壁
２４ａ、２４ｂ  垂下壁部
２５ａ、２５ｂ、２５ｃ、２５ｄ  カバー帯
２６ａ、２６ｂ  ガイド溝
２７ａ、２７ｂ  ガイド部材
２８    シールリップ
２９    係止孔
３０    係止ブラケット
３１    係止ピン
３２ａ、３２ｂ  係止突条
３３ａ、３３ｂ  シール材
３４    第一固定側気密保持ブラケット
３５    第二固定側気密保持ブラケット
３６    移動側気密保持ブラケット
３７    基部
３８    リップ部
３９    基部
４０    リップ部
４１    弾性片
４２    基部
４３    リップ部
４４    通孔
４５    弾性膜
４６    スリット
４７    水抜き孔
４８    枠下部側気密片
４９    框側気密片
５０    湾曲ガイド溝
５１ａ、５１ｂ、５１ｃ、５１ｄ  収納部
５２    ケース部
５３    補助垂下壁部
５４    ねじ
５５    先端部
５６    段差部
５７ａ、５７ｂ  竪枠本体
５８ａ、５８ｂ  内側ブラケット
５９    開口切り欠き
【図１】
2005232870.tif 000003
【図２】
2005232870.tif 000004
【図３】
2005232870.tif 000005
【図４】
2005232870.tif 000006
【図５】
2005232870.tif 000007
【図６】
2005232870.tif 000008
【図７】
2005232870.tif 000009
【図８】
2005232870.tif 000010
【図９】
2005232870.tif 000011
【図１０】
2005232870.tif 000012
【図１１】
2005232870.tif 000013
【図１２】
2005232870.tif 000014
【図１３】
2005232870.tif 000015
【図１４】
2005232870.tif 000016
【図１５】
2005232870.tif 000017
【図１６】
2005232870.tif 000018
【図１７】
2005232870.tif 000019
【図１８】
2005232870.tif 000020
【図１９】
2005232870.tif 000021
【図２０】
2005232870.tif 000022
【図２１】
2005232870.tif 000023
【図２２】
2005232870.tif 000024
【図２３】
2005232870.tif 000025
【図２４】
2005232870.tif 000026
【図２５】
2005232870.tif 000027
【図２６】
2005232870.tif 000028
【図２７】
2005232870.tif 000029
【図２８】
2005232870.tif 000030
【図２９】
2005232870.tif 000031
【図３０】
2005232870.tif 000032
【図３１】
2005232870.tif 000033
【図３２】
2005232870.tif 000034
【図３３】
2005232870.tif 000035
【図３４】
2005232870.tif 000036